(57)【要約】      （修正有）【課題】バンド部材によって、回路基板収容筐体を固定部材に固定する場合に、筐体の密閉性を高めつつ、バンド部材の取り付けを容易にした、回路基板収容筐体を提供する。【解決手段】筐体固定用のバンド部材が取り付けられるバンド部材取付部１１１は、中央側係止片１１２、１対の両端側係止片１１３、および１対の係止片連結部を有し、両端側係止片に面取部１１３ａが形成されるとともに、面取部と中央側係止片との間の最短距離Ｂが、中央側係止片と両端側係止片との間の距離Ａよりも長く設定されている。【選択図】図７
2018206973.tif 000002
【特許請求の範囲】
【請求項１】
回路基板が収容される筐体本体部と、
上記筐体本体部を固定部材に固定するためのバンド部材が取り付けられるバンド部材取付部と
を備えた回路基板収容筐体であって、
上記バンド部材取付部は、
上記筐体本体部の側壁から突出する中央側係止片、
上記筐体本体部の底壁に平行な方向における上記中央側係止片の両側付近で、上記中央側係止片に対して上記底壁に垂直な方向に所定の距離を開けて配置され、上記筐体本体部の側壁から突出する１対の両端側係止片、および
上記中央側係止片の突出先端部と、各両端側係止片の突出先端部とをそれぞれ連結する１対の係止片連結部を有し、
上記各両端側係止片における上記中央側係止片に近接する部分にそれぞれ面取部が形成されるとともに、
上記各面取部と上記中央側係止片との間の最短距離が、上記中央側係止片と１対の両端側係止片との間の上記底壁に垂直な方向の所定の距離よりも長く設定されていることを特徴とする回路基板収容筐体。
【請求項２】
請求項１の回路基板収容筐体であって、
上記各面取部と上記中央側係止片との間の最短距離が、上記バンド部材の厚さ寸法よりも長く設定されているとともに、
上記中央側係止片と１対の両端側係止片との間の上記底壁に垂直な方向の所定の距離が、上記バンド部材の厚さ寸法よりも短く設定されていることを特徴とする回路基板収容筐体。
【請求項３】
請求項１から請求項２のうち何れか１項の回路基板収容筐体であって、
上記中央側係止片における上記各両端側係止片に近接する部分にそれぞれ面取部が形成されていることを特徴とする回路基板収容筐体。
【請求項４】
請求項１から請求項３のうち何れか１項の回路基板収容筐体であって、
上記中央側係止片における、上記両端側係止片側の上記筐体本体部の底壁に平行な方向の面が、他の表面部分よりも摩擦係数が大きくなるように形成されていることを特徴とする回路基板収容筐体。
【請求項５】
請求項１から請求項４のうち何れか１項の回路基板収容筐体であって、
上記中央側係止片が、上記両端側係止片と異なる材質で形成されていることを特徴とする回路基板収容筐体。
【請求項６】
請求項１から請求項５のうち何れか１項の回路基板収容筐体であって、
上記筐体本体部の底壁に平行な方向における上記中央側係止片の長さが、上記両端側係止片間の距離よりも短く設定されていることを特徴とする回路基板収容筐体。
【請求項７】
請求項１から請求項６のうち何れか１項の回路基板収容筐体であって、
上記バンド部材取付部が、上記筐体本体部における互いに対向する側壁にそれぞれ設けられていることを特徴とする回路基板収容筐体。
【請求項８】
請求項１から請求項６のうち何れか１項の回路基板収容筐体であって、
上記筐体本体部における上記バンド部材取付部が設けられる側壁に対向する側壁に、上記筐体本体部に収容される回路基板に接続される配線用のコネクタが設けられるように構成されていることを特徴とする回路基板収容筐体。
【請求項９】
請求項１から請求項６のうち何れか１項の回路基板収容筐体であって、
上記筐体本体部における４方向の側壁のうち、３方向の側壁に上記バンド部材取付部が設けられるとともに、他の１方向の側壁に、上記筐体本体部に収容される回路基板に接続される配線用のコネクタが設けられるように構成されていることを特徴とする回路基板収容筐体。
【請求項１０】
請求項１から請求項９のうち何れか１項の回路基板収容筐体と、
上記筐体本体部に収容される回路基板と、
を有することを特徴とする電子装置。
【発明の詳細な説明】
【技術分野】
【０００１】
本発明は、回路基板が収容される回路基板収容筐体、およびそのような回路基板収容筐体内に回路基板が収容された電子装置に関するものである。
【背景技術】
【０００２】
回路基板が収容される回路基板収容筐体には、結束バンド等と呼ばれるバンド部材によって配線が固定されることがある。そのような回路基板収容筐体に配線を固定する技術として、回路基板収容筐体の壁面に１対の開口部を設け、バンド部材を上記開口部にジグザグ状に挿通することによって、回路基板収容筐体にバンド部材を取り付け、上記バンド部材を配線に巻き付けることによって、配線を固定する技術が知られている（例えば、特許文献１、２参照。）。
【先行技術文献】
【特許文献】
【０００３】
【特許文献１】実開平３−１７６７９号公報
【特許文献２】特開２００８−１５３４９０号公報
【発明の概要】
【発明が解決しようとする課題】
【０００４】
上記のように回路基板収容筐体に取り付けられたバンド部材は、棒状の柱部材などの固定部材に巻き付けることによって、回路基板収容筐体自体の固定に用いることが考えられる。しかしながら、上記のように回路基板収容筐体の壁面に開口部を設けてバンド部材を取り付ける場合には、筐体の密閉性を高めることが困難になる。
【０００５】
本発明は、上記の点に鑑み、回路基板収容筐体に取り付けられたバンド部材によって上記回路基板収容筐体を固定部材に固定する場合において、筐体の密閉性を高めたり、バンド部材の取り付けを容易にしたりすることができるようにすることを目的としている。
【課題を解決するための手段】
【０００６】
上記の目的を達成するために、
本発明は、
回路基板が収容される筐体本体部と、
上記筐体本体部を固定部材に固定するためのバンド部材が取り付けられるバンド部材取付部と
を備えた回路基板収容筐体であって、
上記バンド部材取付部は、
上記筐体本体部の側壁から突出する中央側係止片、
上記筐体本体部の底壁に平行な方向における上記中央側係止片の両側付近で、上記中央側係止片に対して上記底壁に垂直な方向に所定の距離を開けて配置され、上記筐体本体部の側壁から突出する１対の両端側係止片、および
上記中央側係止片の突出先端部と、各両端側係止片の突出先端部とをそれぞれ連結する１対の係止片連結部を有し、
上記各両端側係止片における上記中央側係止片に近接する部分にそれぞれ面取部が形成されるとともに、
上記各面取部と上記中央側係止片との間の最短距離が、上記中央側係止片と１対の両端側係止片との間の上記底壁に垂直な方向の所定の距離よりも長く設定されていることを特徴とする。
【０００７】
これにより、上記のように筐体本体部の側壁から突出する中央側係止片、および１対の両端側係止片を有するバンド部材取付部が設けられているので、筐体の密閉性を高めることが容易にできる。また、各両端側係止片に面取部が形成されるとともに、各面取部と中央側係止片との間の最短距離が、中央側係止片と１対の両端側係止片との間の底壁に垂直な方向の所定の距離よりも長く設定されているので、中央側係止片と一方の両端側係止片との間にバンド部材を挿通することが容易にできる。さらに、上記挿通されたバンド部材を他方の両端側係止片と中央側係止片との間に挿通することも容易にできる。しかも、一旦、双方の両端側係止片と中央側係止片との間に挿通されたバンド部材は脱落しにくくなる。それゆえ、回路基板収容筐体を固定部材に固定する固定作業を容易にすることができる。
【発明の効果】
【０００８】
本発明によれば、回路基板収容筐体に取り付けられたバンド部材によって上記回路基板収容筐体を固定部材に固定する場合において、筐体の密閉性を高めたり、バンド部材の取り付けを容易にしたりすることができる。
【図面の簡単な説明】
【０００９】
【図１】筐体の構成を示す斜視図である。
【図２】筐体の構成を示す平面図である。
【図３】筐体の構成を示す底面図である。
【図４】筐体の構成を示す正面図である。
【図５】筐体の構成を示す縦断面図である。
【図６】筐体の構成を示す背面図である。
【図７】バンド部材取付部１１１の詳細な構成を示す拡大端面図である。
【図８】バンド部材の構成を示す部分断面図である。
【図９】変形例のバンド部材取付部１１１の詳細な構成を示す拡大端面図である。
【図１０】他の変形例のバンド部材取付部１１１の詳細な構成を示す拡大端面図である。
【図１１】さらに他の変形例のバンド部材取付部１１１の詳細な構成を示す拡大端面図である。
【図１２】さらにまた他の変形例のバンド部材取付部１１１の詳細な構成を示す拡大端面図である。
【発明を実施するための形態】
【００１０】
以下、本発明の実施形態を図面に基づいて詳細に説明する。
【００１１】
例えば自動車の各部の制御などに用いられる電子装置の回路基板収容筐体１００は、図１に示すように、筐体本体部１０１とカバー部１０２とを有し、その内部に回路基板が収容されるようになっている。上記筐体本体部１０１とカバー部１０２との固定方法は特に限定されないが、例えばカバー部１０２のねじ穴１０２ａを通したねじ２１１による締結によって固定される。
【００１２】
筐体本体部１０１の３方の側壁１０１ａには、図２〜図４に示すように、底壁１０１ｂ寄りの部分に３つのバンド部材取付部１１１が設けられている。上記バンド部材取付部１１１に後述するバンド部材３１０（図８）を挿通することによって、上記筐体本体部１０１を図示しない固定部材に固定することができる。ここで、上記側壁１０１ａ、および底壁１０１ｂの呼び方は、必ずしも物理的空間内での横方向や上下方向に対応するものではなく、回路基板収容筐体１００が固定される固定部材側の壁を底壁１０１ｂと呼び、これに垂直または略垂直な壁を側壁１０１ａと呼ぶ。筐体本体部１０１の４方の側壁１０１ａのうち、上記バンド部材取付部１１１が設けられていない側壁１０１ａには、例えば図５に示すように、回路基板に接続される配線用のコネクタ１２１〜１２３が設けられるようになっている。
【００１３】
上記バンド部材取付部１１１は、より詳しくは、図６に示すように、上記側壁１０１ａから突出する中央側係止片１１２、１対の両端側係止片１１３、および上記中央側係止片１１２の突出先端部と各両端側係止片１１３の突出先端部とをそれぞれ連結する１対の係止片連結部１１４を有し、これらに囲まれた挿通開口１１５が形成されて成っている。上記両端側係止片１１３は、中央側係止片１１２に対して、底壁１０１ｂに平行な方向における両側付近に配置されている。また、図７に示すように、中央側係止片１１２に対して、底壁１０１ｂに垂直な方向に所定の距離Ａを開けて配置されている。各両端側係止片１１３における中央側係止片１１２に近接する部分には、それぞれ面取部１１３ａが形成され、上記各面取部１１３ａと中央側係止片１１２との間の最短の距離Ｂが、中央側係止片１１２と両端側係止片１１３との間の上記距離Ａよりも長くなるように設定されている。より具体的には、上記距離Ａは、筐体本体部１０１を固定部材に固定するために用いられるバンド部材３１０のバンド部３１１の厚さ方向の寸法ｔよりも短く、かつ、上記距離Ｂは、上記寸法ｔよりも長くなるように設定されている。
【００１４】
なお、中央側係止片１１２には、バンド部材３１０に代えてねじにより回路基板収容筐体１００を固定部材に固定することもできるようにねじ穴１１２ａを設けたりしてもよい。
【００１５】
上記バンド部材取付部１１１に取り付けられるバンド部材３１０は、例えば図８に示すように、バンド部３１１と、このバンド部３１１が挿通される挿通穴３１３が形成されたロック部３１２とを有している。上記挿通穴３１３の内面には、係止部３１５を有する係止爪３１４が形成されている。この係止爪３１４に、バンド部３１１の図示しない微少な凹凸が係止されることにより、挿通穴３１３に挿通されたバンド部３１１が抜け出す方向に移動するのを阻止し得るようになっている。なお、バンド部３１１の先端部は、挿通穴３１３に挿通する際に湾曲させる側に屈曲部３１１ａが形成されたりしてもよい。
【００１６】
上記のような回路基板収容筐体１００は、例えば対向配置された各バンド部材取付部１１１（図２の左右方向側のバンド部材取付部１１１）にそれぞれバンド部材３１０を取り付けて、そのバンド部材３１０を例えばワイヤハーネスや棒状の柱部材などの固定部材に巻き付けることによって、固定することができる。また、コネクタ１２１〜１２３に対向する位置に配置されたバンド部材取付部１１１（図２の下方側のバンド部材取付部１１１）にバンド部材３１０を取り付けて固定部材に巻き付けるとともに、コネクタ１２１〜１２３に接続されたワイヤハーネスを固定部材にバンド部材３１０により縛り付けることによって固定することもできる。なお、上記のように３カ所のバンド部材３１０を設けることによって上記のような固定方法の自由度を高めることができるが、これに限らず、あらかじめ固定方法が決まっている場合などには、対向配置されたバンド部材取付部１１１またはコネクタ１２１〜１２３に対向する位置に配置されたバンド部材取付部１１１の一方だけが設けられるようにしてもよい。
【００１７】
ここで、上記バンド部材取付部１１１は、１対の両端側係止片１１３の一方に面取部１１３ａが形成され、中央側係止片１１２との間の最短の距離Ｂがバンド部材３１０のバンド部３１１の寸法ｔよりも長く設定されていることによって、一方の挿通開口１１５にバンド部材３１０を挿通することが容易にできる。そしてさらに、他方の両端側係止片１１３に面取部１１３ａが形成されていることによって、上記一方の挿通開口１１５に挿通されたバンド部材３１０を他方の挿通開口１１５に挿通することも容易にできる。しかも、中央側係止片１１２と両端側係止片１１３とは、底壁１０１ｂに垂直な方向に距離Ａが開くように段差を持って設けられているので、面取部１１３ａの大きさ（角度や長さ）が比較的小さくても、上記のようにバンド部材３１０を挿通しやすくすることが容易にできる。また、上記距離Ａがバンド部材３１０のバンド部３１１の寸法ｔよりも短く設定されていることによって、一旦、双方の挿通開口１１５に挿通されたバンド部材３１０は脱落しにくくなる。それゆえ、例えば、まず、作業性のよい場所で挿通開口１１５にバンド部３１１を挿通してバンド部材取付部１１１にバンド部材３１０を取り付け、次に上記バンド部材３１０を固定部材に固定することによって、上記固定部材に固定する際の作業スペースが狭い場合などでも、その固定作業を容易にし得るようにできる。
【００１８】
なお、一方の挿通開口１１５に挿通されたバンド部材３１０の正確な延長線上に他方の挿通開口１１５における面取部１１３ａが位置するように各部の寸法や配置が設定されていれば、バンド部材３１０の挿通作業はより容易になるが、バンド部材３１０の撓みや、バンド部材３１０の先端部を多少押さえつけながら作業し得る場合などを考慮すると、少なくとも上記のように距離Ａ，Ｂの設定や面取部１１３ａの形成がなされていれば、作業性を向上させることができる。
【００１９】
（変形例）
上記のように両端側係止片１１３に面取部１１３ａが形成されるのに限らず、例えば図９に示すように中央側係止片１１２にも面取部１１２ｂが形成されるようにしてもよい。これによって、面取部１１３ａと面取部１１２ｂとの間の距離Ｃを図７に示したような面取部１１３ａだけが形成されている場合の距離Ｂよりも長く設定して、バンド部材３１０をより挿入しやすくすることが容易にできる。
【００２０】
また、例えば図１０に示すように中央側係止片１１２における両端側係止片１１３側の面に例えば凹凸などによる摩擦力増大部１１２ｃを形成し、挿通開口１１５に挿通されたバンド部材３１０が、より脱落しにくいようにして作業性をさらに向上させ得るようにしてもよい。
【００２１】
また、図１１に示すように中央側係止片１１２’を両端側係止片１１３と異なる材質で形成したり表面に被覆を施したりして、より摩擦力を増大させ得るようにしてもよい。
【００２２】
また、図１２に示すように、底壁１０１ｂに垂直な方向において、両端側係止片１１３の間の距離よりも中央側係止片１１２の長さが短くなるようにしてもよい。これによっても、バンド部材３１０をより挿入しやすくすることが容易にできる。
【００２３】
また、面取部１１３ａの角度や長さは、種々設定できるが、一般に、面取部１１３ａと底壁１０１ｂとのなす角度を小さく設定するほど、一方の挿通開口１１５に挿入したバンド部材３１０の先端を他方の挿通開口１１５に挿入しやすくすることができる。
【００２４】
なお、上記のように中央側係止片１１２および両端側係止片１１３の形状、配置が対称に形成されている場合には、バンド部材３１０の挿通作業に方向性がない点で作業性を向上させやすいが、これに限らず、これらの形状および／または配置を非対称にしてバンド部材３１０の挿入に方向性を持たせてもよい。
【００２５】
また、上記のように側壁１０１ａから突出した中央側係止片１１２、および両端側係止片１１３によってバンド部材取付部１１１を形成することによって筐体の密閉性を高めることが容易にできるが、筐体本体部１０１自体が高い密閉性を有しない場合でも、上記のようなバンド部材取付部１１１を設けることによる回路基板収容筐体１００の固定作業の作業性を向上させることなどは容易にできる。
【符号の説明】
【００２６】
１００      回路基板収容筐体
１０１      筐体本体部
１０１ａ    側壁
１０１ｂ    底壁
１０２      カバー部
１０２ａ    ねじ穴
１１１      バンド部材取付部
１１２      中央側係止片
１１２’    中央側係止片
１１２ａ    ねじ穴
１１２ｂ    面取部
１１２ｃ    摩擦力増大部
１１３      両端側係止片
１１３ａ    面取部
１１４      係止片連結部
１１５      挿通開口
１２１〜１２３    コネクタ
２１１      ねじ
３１０      バンド部材
３１１      バンド部
３１１ａ    屈曲部
３１２      ロック部
３１３      挿通穴
３１４      係止爪
３１５      係止部
【図１】
2018206973.tif 000003
【図２】
2018206973.tif 000004
【図３】
2018206973.tif 000005
【図４】
2018206973.tif 000006
【図５】
2018206973.tif 000007
【図６】
2018206973.tif 000008
【図７】
2018206973.tif 000009
【図８】
2018206973.tif 000010
【図９】
2018206973.tif 000011
【図１０】
2018206973.tif 000012
【図１１】
2018206973.tif 000013
【図１２】
2018206973.tif 000014
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
回路基板が収容される筐体本体部と、
上記筐体本体部を固定部材に固定するためのバンド部材が取り付けられるバンド部材取付部と
を備えた回路基板収容筐体であって、
上記バンド部材取付部は、
上記筐体本体部の側壁から突出する中央側係止片、
上記筐体本体部の底壁に平行な方向における上記中央側係止片の両側付近で、上記中央側係止片に対して上記底壁に垂直な方向に所定の距離を開けて配置され、上記筐体本体部の側壁から突出する１対の両端側係止片、および
上記中央側係止片の突出先端部と、各両端側係止片の突出先端部とをそれぞれ連結する１対の係止片連結部を有し、
上記各両端側係止片における上記中央側係止片に近接する部分にそれぞれ面取部が形成されるとともに、
上記各面取部と上記中央側係止片との間の最短距離が、上記中央側係止片と１対の両端側係止片との間の上記底壁に垂直な方向の所定の距離よりも長く設定され、上記バンド部材取付部に取り付けられたバンド部材が、上記中央側係止片と両端側係止片との当接のみによって固定され得るように構成されていることを特徴とする回路基板収容筐体。
【請求項２】
請求項１の回路基板収容筐体であって、
上記各面取部と上記中央側係止片との間の最短距離が、上記バンド部材の厚さ寸法よりも長く設定されているとともに、
上記中央側係止片と１対の両端側係止片との間の上記底壁に垂直な方向の所定の距離が、上記バンド部材の厚さ寸法よりも短く設定されていることを特徴とする回路基板収容筐体。
【請求項３】
請求項１から請求項２のうち何れか１項の回路基板収容筐体であって、
上記中央側係止片における上記各両端側係止片に近接する部分にそれぞれ面取部が形成されていることを特徴とする回路基板収容筐体。
【請求項４】
請求項１から請求項３のうち何れか１項の回路基板収容筐体であって、
上記中央側係止片における、上記両端側係止片側の上記筐体本体部の底壁に平行な方向の面が、他の表面部分よりも摩擦係数が大きくなるように形成されていることを特徴とする回路基板収容筐体。
【請求項５】
請求項１から請求項４のうち何れか１項の回路基板収容筐体であって、
上記中央側係止片が、上記両端側係止片と異なる材質で形成されていることを特徴とする回路基板収容筐体。
【請求項６】
請求項１から請求項５のうち何れか１項の回路基板収容筐体であって、
上記筐体本体部の底壁に平行な方向における上記中央側係止片の長さが、上記両端側係止片間の距離よりも短く設定されていることを特徴とする回路基板収容筐体。
【請求項７】
請求項１から請求項６のうち何れか１項の回路基板収容筐体であって、
上記バンド部材取付部が、上記筐体本体部における互いに対向する側壁にそれぞれ設けられていることを特徴とする回路基板収容筐体。
【請求項８】
請求項１から請求項６のうち何れか１項の回路基板収容筐体であって、
上記筐体本体部における上記バンド部材取付部が設けられる側壁に対向する側壁に、上記筐体本体部に収容される回路基板に接続される配線用のコネクタが設けられるように構
成されていることを特徴とする回路基板収容筐体。
【請求項９】
請求項１から請求項６のうち何れか１項の回路基板収容筐体であって、
上記筐体本体部における４方向の側壁のうち、３方向の側壁に上記バンド部材取付部が設けられるとともに、他の１方向の側壁に、上記筐体本体部に収容される回路基板に接続される配線用のコネクタが設けられるように構成されていることを特徴とする回路基板収容筐体。
【請求項１０】
請求項１から請求項９のうち何れか１項の回路基板収容筐体と、
上記筐体本体部に収容される回路基板と、
を有することを特徴とする電子装置。